(57)【特許請求の範囲】
【請求項１】
他の通信装置におけるリファレンス信号の送信タイミングを制御する通信装置であって、
自装置における前記リファレンス信号の受信タイミングと目標タイミングとに基づいて、前記送信タイミングを制御する制御値の候補群の内から制御値を選択する選択部と、
前記制御値以外の送信データを前記候補群の内の制御値に変換する変換部と、
前記他の通信装置の移動モードでは、前記選択された制御値を前記他の通信装置へ送信し、静止モードでは、前記選択された制御値の代わりに、前記変換部で得られた制御値を前記他の通信装置へ送信する送信処理部と、
を具備することを特徴とする通信装置。
【請求項２】
前記候補群と、各候補に応じたビットパタンとの対応関係を記憶する記憶部、をさらに具備し、
前記変換部は、前記送信データを、前記送信データのビットパタンに対して前記対応関係で対応付けられた制御値に変換する、
ことを特徴とする請求項１に記載の通信装置。
【請求項３】
リファレンス信号の送信タイミングについての制御値を含む信号を受信する受信部と、
自装置の移動モードにおいて、前記受信された信号に含まれる制御値に基づいて、前記リファレンス信号の送信タイミングを調整する調整部と、
自装置の静止モードにおいて、他の通信装置から自装置へ送信されるデータのビットパタンから変換された制御値を、元の前記データのビットパタンに逆変換する変換部と、
を具備することを特徴とする通信装置。
【請求項４】
前記制御値の候補群と、各候補に応じたビットパタンとの対応関係を記憶する記憶部、
をさらに具備し、
前記変換部は、前記受信された信号に含まれる制御値に対して前記対応関係で対応付けられたビットパタンを、元の前記データのビットパタンとして出力する、
ことを特徴とする請求項３に記載の通信装置。
【請求項５】
第１の通信装置におけるリファレンス信号の受信タイミングと目標タイミングとに基づいて、第２の通信装置における前記リファレンス信号の送信タイミングを制御する制御値の候補群の内から制御値を選択し、
前記制御値以外の送信データを前記候補群の内の制御値に変換し、
前記第２の通信装置の移動モードでは、前記選択された制御値を前記第２の通信装置へ送信し、静止モードでは、前記選択された制御値の代わりに、前記変換で得られた制御値を前記第２の通信装置へ送信する、
ことを特徴とする通信方法。
【請求項６】
リファレンス信号の送信タイミングについての制御値を含む信号を受信し、
移動モードにおいて、前記受信された信号に含まれる制御値に基づいて、前記リファレンス信号の送信タイミングを調整し、
静止モードにおいて、他の通信装置から自装置へ送信されるデータのビットパタンから変換された制御値を、元の前記データのビットパタンに逆変換する、
ことを特徴とする通信方法。
【請求項７】
リファレンス信号の送信タイミングについての制御値を含む信号を受信する受信部と、
自装置の移動モードでは、前記制御値に応じた送信タイミングで前記リファレンス信号を送信し、静止モードでは、前記リファレンス信号以外の送信データのビットパタンから変換して得られた送信タイミングで前記リファレンス信号を送信する送信処理部と、
を具備することを特徴とする通信装置。
【請求項８】
他の通信装置におけるリファレンス信号の送信タイミングを制御する通信装置であって、
前記他の通信装置の移動モードにおいて、自装置における前記リファレンス信号の受信タイミングと目標タイミングとに基づいて、前記送信タイミングを制御する制御値の候補群の内から制御値を選択する選択部と、
前記他の通信装置の移動モードにおいて、前記選択された制御値を前記他の通信装置へ送信する送信処理部と、
前記他の通信装置の静止モードにおいて、前記他の通信装置から自装置へ送信されるデータのビットパタンから変換して得られた送信タイミングで前記他の通信装置から送信された前記リファレンス信号の受信タイミングを、元の前記データのビットパタンに逆変換する変換部と、
を具備することを特徴とする通信装置。
【発明の詳細な説明】
【技術分野】
【０００１】
本発明は、通信装置及び通信方法に関する。
【背景技術】
【０００２】
３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｒａｄｉｏ  Ａｃｃｅｓｓ  Ｎｅｔｗｏｒｋ  Ｌｏｎｇ  Ｔｅｒｍ  Ｅｖｏｌｕｔｉｏｎ）では、下りリンクの通信方式としてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）が採用され、上りリンクの通信方式としてＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が採用されている。３ＧＰＰ  ＬＴＥは、以下では、単に「ＬＴＥ」と呼ばれることがある。
【０００３】
ＬＴＥシステムにおいて、基地局（ｅｖｏｌｖｅｄ  Ｎｏｄｅ  Ｂ：ｅＮＢ）は、移動局（Ｕｓｅｒ  Ｅｑｕｉｐｍｅｎｔ：ＵＥ）によるＲＳ（Ｒｅｆｅｒｅｎｃｅ  Ｓｉｇｎａｌ）の送信タイミングを制御する。具体的には、基地局は、送信タイミングの制御対象である移動局から送信されたＳＲＳ（Ｓｏｕｎｄｉｎｇ  Ｒｅｆｅｒｅｎｃｅ  Ｓｉｇｎａｌ）の受信タイミングを監視する。そして、基地局は、受信タイミングと目標タイミングとの差分に応じた制御値（つまり、ＴＡ（Ｔｉｍｉｎｇ  Ａｄｃａｎｃｅ）値）を含むタイミング制御信号（つまり、ＴＡ（Ｔｉｍｉｎｇ  Ａｄｃａｎｃｅ）信号）を移動局へ送信する。そして、移動局は、受け取ったタイミング制御信号に基づいて、ＲＳ送信タイミングを調整する。ここで、基地局との離間距離が長い移動局ほどＲＳ送信タイミングを早くすることになる。すなわち、ＴＡ値は、送信タイミングの制御対象である移動局と基地局との離間距離に依存する値となる。
【０００４】
また、ＴＡ信号は、移動局におけるＴｉｍｅ  Ａｌｉｇｎｍｅｎｔ  Ｔｉｍｅｒを更新するために用いられる。すなわち、３ＧＰＰシステムでは、Ｔｉｍｅ  Ａｌｉｇｎｍｅｎｔ  Ｔｉｍｅｒが満了すると、移動局は、ＰＵＣＣＨ（Ｐｈｙｓｉｃａｌ  Ｕｐｌｉｎｋ  Ｃｏｎｔｒｏｌ  ＣＨａｎｎｅｌ）、及び、ＳＲＳの上り回線リソースを解放する。従って、基地局と移動局との間の上り回線リソースを維持したい場合には、ＴＡ信号を定期的に送信することになる。
【先行技術文献】
【特許文献】
【０００５】
【特許文献１】特開２０１１−１９９３５６号公報
【発明の概要】
【発明が解決しようとする課題】
【０００６】
ところで、上述の通り、ＴＡ値は送信タイミングの制御対象である移動局と基地局との離間距離に依存するので、移動局が静止している場合には変化せず、理想的には同じ値となる。従って、移動局が静止しているときにＴＡ信号を送信し続けることは、リソースの無駄となる。
【０００７】
一方、ＴＡ信号を送信しなければリソースの無駄を解消できるが、上述の通り、ＴＡ信号にはＴｉｍｅ  Ａｌｉｇｎｍｅｎｔ  Ｔｉｍｅｒを更新する機能があるので、所定の周期で送信されることになる。
【０００８】
開示の技術は、上記に鑑みてなされたものであって、リソースの有効利用を実現する、通信装置及び通信方法を提供することを目的とする。
【課題を解決するための手段】
【０００９】
開示の態様では、他の通信装置におけるリファレンス信号の送信タイミングを制御する通信装置であって、自装置における前記リファレンス信号の受信タイミングと目標タイミングとに基づいて、前記送信タイミングを制御する制御値の候補群の内から制御値を選択する選択部と、前記制御値以外の送信データを前記候補群の内の制御値に変換する変換部と、前記他の通信装置の移動モードでは、前記選択された制御値を前記他の通信装置へ送信し、静止モードでは、前記選択された制御値の代わりに、前記変換部で得られた制御値を前記他の通信装置へ送信する送信処理部と、を具備する。
【発明の効果】
【００１０】
開示の態様によれば、リソースの有効利用を実現できる。
【図面の簡単な説明】
【００１１】
【図１】図１は、実施例１の基地局の一例を示すブロック図である。
【図２】図２は、変換テーブルの一例を示す図である。
【図３】図３は、実施例１の移動局の一例を示すブロック図である。
【図４】図４は、実施例２の移動局の一例を示すブロック図である。
【図５】図５は、実施例２の基地局の一例を示すブロック図である。
【図６】図６は、基準タイミング調整の説明に供する図である。
【図７】図７は、基地局のハードウェア構成を示す図である。
【図８】図８は、移動局のハードウェア構成を示す図である。
【発明を実施するための形態】
【００１２】
以下に、本願の開示する通信装置及び通信方法の実施形態を図面に基づいて詳細に説明する。なお、この実施形態により本願の開示する通信装置及び通信方法が限定されるものではない。また、実施形態において同一の機能を有する構成には同一の符号を付し、重複する説明は省略される。
【００１３】
［実施例１］
［基地局の構成］
図１は、実施例１の基地局の一例を示すブロック図である。図１において、基地局１０は、ＲＦ（Ｒａｄｉｏ  Ｆｒｅｑｕｅｎｃｙ）受信部１１と、受信処理部１２と、判定情報取得部１３と、ＲＳ取得部１４と、スケジューラ１５と、変換部１６と、送信処理部１７と、ＲＦ送信部１８とを有する。
【００１４】
ＲＦ受信部１１は、後述する移動局２０から送信された無線信号を受信し、受信された無線信号に対してダウンコンバート等の無線処理を施すことにより、ベースバンド信号を得る。
【００１５】
受信処理部１２は、ＲＦ受信部１１において得られたベースバンド信号に対して復調処理を施し、得られた受信信号を出力する。
【００１６】
判定情報取得部１３は、受信処理部１２で得られた受信信号から静止判定情報を取得し、取得された静止判定情報をスケジューラ１５へ出力する。静止判定情報は、後述する移動局２０が移動せず静止している状態にあるときに、移動局２０から送信されてくる情報である。
【００１７】
ＲＳ取得部１４は、受信処理部１２で得られた受信信号からＲＳ信号を取得し、取得されたＲＳ信号と、ＲＳ信号の受信タイミングに関する情報とをスケジューラ１５へ出力する。
【００１８】
スケジューラ１５は、判定情報取得部１３から静止判定情報を受け取ると、後述する移動局２０との間では「静止モード」となり、判定情報取得部１３から静止判定情報を受け取っていない状態では「移動モード」となる。
【００１９】
そして、スケジューラ１５は、移動モードでは、ＲＳ取得部１４から受け取る、ＲＳ信号の受信タイミングに関する情報に基づいて、ＴＡ値を決定し、決定されたＴＡ値を送信処理部１７へ出力する。具体的には、スケジューラ１５は、移動モードでは、ＴＡ値候補群の中から、ＲＳ信号の受信タイミングに関する情報の示す受信タイミングと目標タイミングとの差分に対応するＴＡ値候補をＴＡ値として選択する。選択されたＴＡ値は、送信処理部１７へ出力される。
【００２０】
また、スケジューラ１５は、静止モードでは、変換部１６へ「変換指示信号」を出力する。
【００２１】
変換部１６は、スケジューラ１５から変換指示信号を受け取ると、つまり静止モードでは、変換テーブルに基づいて、入力される送信データをＴＡ値に変換する。送信データが変換されて得られたＴＡ値は、送信処理部１７へ出力される。具体的には、変換テーブルは、変換部１６に含まれるメモリ（図示せず）に記憶されている。そして、変換テーブルでは、上記したＴＡ値候補群と、各ＴＡ値候補に対応するビットパタンとが対応付けられている。図２は、変換テーブルの一例を示す図である。そして、変換部１６は、入力された送信データ列に含まれる処理対象単位の各ビット列を、各ビット列のパタンと同じビットパタンに対して対応テーブルで対応付けられたＴＡ値候補に読み替える。
【００２２】
送信処理部１７は、スケジューラ１５又は変換部１６から受け取ったＴＡ値を含めたＴＡ信号をＴＡ信号の送信に割り当てられているリソースにマッピングし、送信信号を形成する。
【００２３】
ＲＦ送信部１８は、送信処理部１７で形成された送信信号に対してアップコンバート等の無線処理を施すことにより、無線信号を形成し、後述する移動局２０へ送信する。
【００２４】
［移動局の構成］
図３は、実施例１の移動局の一例を示すブロック図である。図３において、移動局２０は、ＲＦ受信部２１と、受信処理部２２と、変換部２３と、取得部２４と、制御部２５と、ＲＳ生成部２６と、送信処理部２７と、静止判定部２８と、ＲＦ送信部２９とを有する。
【００２５】
ＲＦ受信部２１は、基地局１０から送信された無線信号を受信し、受信された無線信号に対してダウンコンバート等の無線処理を施すことにより、ベースバンド信号を得る。
【００２６】
受信処理部２２は、ＲＦ受信部２１において得られたベースバンド信号に対して復調処理を施し、得られた受信信号を出力する。
【００２７】
変換部２３は、静止判定部２８から静止判定情報を受け取ると、「静止モード」となり、静止判定部２８から静止判定情報を受け取っていない状態では「移動モード」となる。
【００２８】
そして、変換部２３は、静止モードでは、受信処理部２２から出力された受信信号に含まれるＴＡ信号を、変換テーブルに基づいて受信データに変換する。具体的には、変換テーブルは、基地局１０のものと同様であり、変換部２３に含まれるメモリ（図示せず）に記憶されている。そして、変換部２３は、ＴＡ信号に含まれるＴＡ値と同じ値のＴＡ値候補に対して対応テーブルで対応付けられたビットパタンに読み替える。なお、変換部２３は、移動モードでは動作しない。
【００２９】
取得部２４は、静止判定部２８から静止判定情報を受け取ると、「静止モード」となり、静止判定部２８から静止判定情報を受け取っていない状態では「移動モード」となる。
【００３０】
そして、取得部２４は、移動モードでは、受信処理部２２から出力された受信信号に含まれるＴＡ信号を取得し、制御部２５へ出力する。なお、取得部２４は、静止モードではＴＡ信号が全く送信されない場合には動作しなくてもよい。また、取得部２４は、静止モードでも本来のＴＡ値を含むＴＡ信号が移動モードよりも少ない頻度で送信される場合には、そのタイミングでＴＡ信号を取得し、制御部２５へ出力してもよい。
【００３１】
制御部２５は、取得部２４から受け取るＴＡ信号に含まれるＴＡ値に応じたタイミングシフト指示を生成し、送信処理部２７へ出力する。これにより、送信処理部２７におけるＲＳの送信タイミングが制御される。
【００３２】
ＲＳ生成部２６は、ＲＳを生成し、送信処理部２７へ出力する。
【００３３】
静止判定部２８は、ＧＰＳ受信部（図示せず）で取得された自装置の位置情報に基づいて、自装置が静止しているか否かを判定する。そして、静止判定部２８は、静止していると判定した場合、静止判定情報を生成し、変換部２３、取得部２４、及び送信処理部２７へ出力する。
【００３４】
送信処理部２７は、静止判定部２８から受け取る静止判定情報を含めた送信信号を生成し、ＲＦ送信部２９へ出力する。また、送信処理部２７は、ＲＳ生成部２６から受け取るＲＳを、制御部２５から受け取るタイミングシフト指示の示す時間だけ基準タイミングからずらしたタイミング、つまり時間リソースに含めた送信信号を生成し、ＲＦ送信部２９へ出力する。これにより、ＲＳは、ＴＡ値に応じたタイミングで送信されることになる。
【００３５】
ＲＦ送信部２９は、送信処理部１７で形成された送信信号に対してアップコンバート等の無線処理を施すことにより、無線信号を形成し、基地局１０へ送信する。
【００３６】
［基地局及び移動局の動作］
以上の構成を有する基地局１０及び移動局２０の動作について説明する。
【００３７】
上述の通り、移動モードと静止モードとで、基地局１０及び移動局２０における処理動作が異なる。基地局１０は、移動局２０から静止判定情報を受け取ると、移動モードから静止モードへ切り替わる。また、移動局２０は、静止判定部２８で自装置が静止していると判定された場合、移動モードから静止モードへ切り替わる。
【００３８】
＜移動モード＞
基地局１０において、スケジューラ１５は、移動モードでは、ＲＳ取得部１４から受け取る、ＲＳ信号の受信タイミングに関する情報に基づいて、ＴＡ値を決定し、決定されたＴＡ値を送信処理部１７へ出力する。
【００３９】
送信処理部１７は、スケジューラ１５から受け取ったＴＡ値を含めたＴＡ信号をＴＡ信号の送信に割り当てられているリソースにマッピングし、送信信号を形成する。
【００４０】
この送信信号は、ＲＦ送信部１８及びアンテナを介して移動局２０へ送信される。
【００４１】
移動局２０において、取得部２４は、受信処理部２２から出力された受信信号に含まれるＴＡ信号を取得し、制御部２５へ出力する。
【００４２】
制御部２５は、取得部２４から受け取るＴＡ信号に含まれるＴＡ値に応じたタイミングシフト指示を生成し、送信処理部２７へ出力する。
【００４３】
送信処理部２７は、ＲＳ生成部２６から受け取るＲＳを、制御部２５から受け取るタイミングシフト指示の示す時間だけ基準タイミングからずらしたタイミング、つまり時間リソースに含めた送信信号を生成する。
【００４４】
この送信信号は、ＲＦ送信部２９及びアンテナを介して、基地局１０へ送信される。
【００４５】
＜静止モード＞
基地局１０において、スケジューラ１５は、変換部１６へ「変換指示信号」を出力する。
【００４６】
変換部１６は、入力された送信データ列に含まれる処理対象単位の各ビット列を、各ビット列のパタンと同じビットパタンに対して対応テーブル（図２参照）で対応付けられたＴＡ値候補に読み替える。
【００４７】
具体的には、送信データ列が“１００１０１０１１１１０１１１０１１０１１・・・”であり、処理対象単位の長さが３ビットであるとする。
【００４８】
この場合、上記した送信データ列は、“１００”“１０１”“０１１”“１１０”“１１１”“０１１”“０１１”・・・というように、処理対象単位のビット列に分割され得る。
【００４９】
そして、処理対象単位の各ビット列を図２の対応テーブルを用いて変換すると、“０×２０”“０×２１”“０×１Ｅ”“０×２２”“０×２３”“０×１Ｅ”“０×１Ｅ”・・・というＴＡ値候補列となる。
【００５０】
そして、送信処理部１７は、変換部１６から受け取ったＴＡ値を含めたＴＡ信号をＴＡ信号の送信に割り当てられているリソースにマッピングし、送信信号を形成する。
【００５１】
この送信信号は、ＲＦ送信部１８及びアンテナを介して移動局２０へ送信される。
【００５２】
移動局２０において、変換部２３は、受信されたＴＡ信号に含まれるＴＡ値と同じ値のＴＡ値候補に対して対応テーブル（図２参照）で対応付けられたビットパタンに読み替える。
【００５３】
すなわち、ここでは、“０×２０”“０×２１”“０×１Ｅ”“０×２２”“０×２３”“０×１Ｅ”“０×１Ｅ”・・・というＴＡ値列が受信される。
【００５４】
そのため、このＴＡ値列を図２の対応テーブルを用いて変換すると、“１００１０１０１１１１０１１１０１１０１１・・・”というデータ列が得られる。
【００５５】
以上のように本実施例によれば、基地局１０において、スケジューラ１５は、リファレンス信号の受信タイミングと目標タイミングとに基づいて、送信タイミングを制御するＴＡ値の候補群の内からＴＡ値を選択する。また、変換部１６は、ＴＡ値以外の送信データをＴＡ値候補群の内のＴＡ値に変換する。そして、送信処理部１７は、移動モードでは、スケジューラ１５で選択された制御値を移動局２０へ送信し、静止モードでは、スケジューラ１５で選択された制御値の代わりに、変換部１６で得られた制御値を移動局２０へ送信する。
【００５６】
また、移動局２０において、受信処理部２２は、ＲＳの送信タイミングについてのＴＡ値を含む信号を受信する。そして、制御部２５は、移動モードにおいて、受信処理部２２で受信された信号に含まれるＴＡ値に基づいて、ＲＳの送信タイミングを調整する。そして、変換部２３は、静止モードにおいて、受信処理部２２で受信された信号に含まれる制御値をビットパタンに変換する。
【００５７】
こうすることで、ＴＡ値に変化の生じない静止モードにおいて、ＴＡ値を使って他の送信データを伝送することができるので、リソースの有効利用を実現できる。
【００５８】
［実施例２］
実施例２では、静止モードにおいて、移動局は、ＲＳの送信タイミングに送信データを重畳する。
【００５９】
［移動局の構成］
図４は、実施例２の移動局の一例を示すブロック図である。図４において、移動局３０は、ＲＦ受信部３１と、受信処理部３２と、取得部３３と、制御部３４と、ＲＳ生成部３５と、送信処理部３６と、静止判定部３７と、ＲＦ送信部３８とを有する。
【００６０】
ＲＦ受信部３１は、後述する基地局４０から送信された無線信号を受信し、受信された無線信号に対してダウンコンバート等の無線処理を施すことにより、ベースバンド信号を得る。
【００６１】
受信処理部３２は、ＲＦ受信部３１において得られたベースバンド信号に対して復調処理を施し、得られた受信信号を出力する。
【００６２】
取得部３３は、受信処理部３２から出力された受信信号に含まれるＴＡ信号を取得し、制御部２５へ出力する。
【００６３】
制御部３４は、静止判定部３７から静止判定情報を受け取ると、「静止モード」となり、静止判定部３７から静止判定情報を受け取っていない状態では「移動モード」となる。
【００６４】
そして、制御部３４は、移動モードでは、取得部３３から受け取るＴＡ信号に含まれるＴＡ値に応じたタイミングシフト指示を生成し、送信処理部３６へ出力する。
【００６５】
一方、制御部３４は、静止モードでは、送信データに応じたタイミングシフト指示を生成し、送信処理部３６へ出力する。具体的には、制御部３４は、静止モードでは、入力された送信データ列に含まれる処理対象単位の各ビット列を、各ビット列のパタンと同じビットパタンに対して対応テーブル（図２参照）で対応付けられたＴＡ値候補に読み替える。そして、制御部３４は、読み替えにより得られたＴＡ値候補に応じたタイミングシフト指示を生成し、送信処理部３６へ出力する。これにより、送信データが送信タイミングに重畳されることになる。
【００６６】
ＲＳ生成部３５は、ＲＳを生成し、送信処理部３６へ出力する。
【００６７】
送信処理部３６は、静止判定部３７から受け取る静止判定情報を含めた送信信号を生成し、ＲＦ送信部３８へ出力する。また、送信処理部３６は、ＲＳ生成部３５から受け取るＲＳを、制御部３４から受け取るタイミングシフト指示の示す時間だけ基準タイミングからずらしたタイミング、つまり時間リソースに含めた送信信号を生成し、ＲＦ送信部３８へ出力する。これにより、ＲＳは、ＴＡ値に応じたタイミングで送信されることになる。
【００６８】
静止判定部３７は、ＧＰＳ受信部（図示せず）で取得された自装置の位置情報に基づいて、自装置が静止しているか否かを判定する。そして、静止判定部３７は、静止していると判定した場合、静止判定情報を生成し、制御部３４及び送信処理部３６へ出力する。
【００６９】
ＲＦ送信部３８は、送信処理部３６で形成された送信信号に対してアップコンバート等の無線処理を施すことにより、無線信号を形成し、後述する基地局４０へ送信する。
【００７０】
［基地局の構成］
図５は、実施例２の基地局の一例を示すブロック図である。図５において、基地局４０は、ＲＦ受信部４１と、受信処理部４２と、判定情報取得部４３と、ＲＳ取得部４４と、スケジューラ４５と、変換部４６と、送信処理部４７と、ＲＦ送信部４８とを有する。
【００７１】
ＲＦ受信部４１は、移動局３０から送信された無線信号を受信し、受信された無線信号に対してダウンコンバート等の無線処理を施すことにより、ベースバンド信号を得る。
【００７２】
受信処理部４２は、ＲＦ受信部４１において得られたベースバンド信号に対して復調処理を施し、得られた受信信号を出力する。
【００７３】
判定情報取得部４３は、受信処理部４２で得られた受信信号から静止判定情報を取得し、取得された静止判定情報をスケジューラ４５及び変換部４６へ出力する。
【００７４】
ＲＳ取得部４４は、受信処理部４２で得られた受信信号からＲＳ信号を取得し、取得されたＲＳ信号と、ＲＳ信号の受信タイミングに関する情報とをスケジューラ４５及び変換部４６へ出力する。
【００７５】
スケジューラ４５は、判定情報取得部４３から静止判定情報を受け取ると、移動局３０との間では「静止モード」となり、判定情報取得部４３から静止判定情報を受け取っていない状態では「移動モード」となる。
【００７６】
そして、スケジューラ４５は、移動モードでは、ＲＳ取得部４４から受け取る、ＲＳ信号の受信タイミングに関する情報に基づいて、ＴＡ値を決定し、決定されたＴＡ値を送信処理部４７へ出力する。具体的には、スケジューラ４５は、移動モードでは、ＴＡ値候補群の中から、ＲＳ信号の受信タイミングに関する情報の示す受信タイミングと目標タイミングとの差分に対応するＴＡ値候補をＴＡ値として選択する。選択されたＴＡ値は、送信処理部４７へ出力される。なお、スケジューラ４５は、静止モードではＴＡ信号が全く送信されない場合にはＴＡ値の選択動作を行わなくてもよい。また、スケジューラ４５は、静止モードでも本来のＴＡ値を含むＴＡ信号が移動モードよりも少ない頻度で送信される場合には、そのタイミングでＴＡ値の選択動作を行ってもよい。
【００７７】
変換部４６は、判定情報取得部４３から静止判定情報を受け取ると、「静止モード」となり、判定情報取得部４３から静止判定情報を受け取っていない状態では「移動モード」となる。
【００７８】
そして、変換部４６は、静止モードでは、ＲＳ取得部４４から受け取る、ＲＳ信号の受信タイミングに関する情報を、変換テーブルに基づいて受信データに変換する。具体的には、変換部４６は、ＲＳ信号の受信タイミングに関する情報を、ＲＳ信号の受信タイミングに応じたＴＡ値と同じ値のＴＡ値候補に対して対応テーブルで対応付けられたビットパタンに読み替える。なお、変換部４６は、移動モードでは動作しない。
【００７９】
送信処理部４７は、スケジューラ４５から受け取ったＴＡ値を含めたＴＡ信号をＴＡ信号の送信に割り当てられているリソースにマッピングし、送信信号を形成する。
【００８０】
ＲＦ送信部４８は、送信処理部４７で形成された送信信号に対してアップコンバート等の無線処理を施すことにより、無線信号を形成し、移動局３０へ送信する。
【００８１】
［基地局及び移動局の動作］
以上の構成を有する移動局３０及び基地局４０の動作について説明する。
【００８２】
上述の通り、移動モードと静止モードとで、移動局３０及び基地局４０における処理動作が異なる。基地局４０は、移動局３０から静止判定情報を受け取ると、移動モードから静止モードへ切り替わる。また、移動局３０は、静止判定部３７で自装置が静止していると判定された場合、移動モードから静止モードへ切り替わる。
【００８３】
＜移動モード＞
基地局４０において、スケジューラ４５は、移動モードでは、ＲＳ取得部４４から受け取る、ＲＳ信号の受信タイミングに関する情報に基づいて、ＴＡ値を決定し、決定されたＴＡ値を送信処理部４７へ出力する。
【００８４】
送信処理部４７は、スケジューラ４５から受け取ったＴＡ値を含めたＴＡ信号をＴＡ信号の送信に割り当てられているリソースにマッピングし、送信信号を形成する。
【００８５】
この送信信号は、ＲＦ送信部４８及びアンテナを介して移動局３０へ送信される。
【００８６】
移動局３０において、取得部３３は、受信処理部３２から出力された受信信号に含まれるＴＡ信号を取得し、制御部３４へ出力する。
【００８７】
制御部３４は、取得部３３から受け取るＴＡ信号に含まれるＴＡ値に応じたタイミングシフト指示を生成し、送信処理部３６へ出力する。
【００８８】
送信処理部３６は、ＲＳ生成部３５から受け取るＲＳを、制御部３４から受け取るタイミングシフト指示の示す時間だけ第１の基準タイミングからずらしたタイミング、つまり時間リソースに含めた送信信号を生成する。
【００８９】
この送信信号は、ＲＦ送信部３８及びアンテナを介して、基地局４０へ送信される。
【００９０】
＜静止モード＞
移動局３０において、制御部３４は、入力された送信データ列に含まれる処理対象単位の各ビット列を、各ビット列のパタンと同じビットパタンに対して対応テーブル（図２参照）で対応付けられたＴＡ値候補に読み替える。
【００９１】
具体的には、送信データ列が“１００１０１０１１１１０１１１０１１０１１・・・”であり、処理対象単位の長さが３ビットであるとする。
【００９２】
この場合、上記した送信データ列は、“１００”“１０１”“０１１”“１１０”“１１１”“０１１”“０１１”・・・というように、処理対象単位のビット列に分割され得る。
【００９３】
そして、処理対象単位の各ビット列を図２の対応テーブルを用いて変換すると、“０×２０”“０×２１”“０×１Ｅ”“０×２２”“０×２３”“０×１Ｅ”“０×１Ｅ”・・・というＴＡ値候補列となる。
【００９４】
ここで、図２において、“０×１Ｅ”、“０×１Ｄ”、“０×１Ｃ”、“０×１Ｂ”は、“０×１Ｆ”を基準として、０．５μｓｅｃずつ早いタイミングにそれぞれ対応づけられる。一方、“０×２０”、“０×２１”、“０×２２”、“０×２３”は、“０×１Ｆ”を基準として、０．５μｓｅｃずつ遅いタイミングにそれぞれ対応づけられる。また、“０×１Ｆ”に対応するタイミングは、第２の基準タイミングに合わせられる。
【００９５】
そして、制御部３４は、“０×２０”“０×２１”“０×１Ｅ”“０×２２”“０×２３”“０×１Ｅ”“０×１Ｅ”・・・というＴＡ値候補列に応じたタイミングシフト指示を生成する。すなわち、制御部３４は、まず、“０×２０”に応じて、第２の基準タイミングより０．５μｓｅｃ遅いタイミングに対応するタイミングシフト指示を生成する。次に、制御部３４は、“０×２１”に応じて、第２の基準タイミングより１．０μｓｅｃ遅いタイミングに対応するタイミングシフト指示を生成する。同様にして、タイミングシフト指示を順次生成する。
【００９６】
そして、送信処理部３６は、ＲＳ生成部３５から受け取るＲＳを、制御部３４から受け取るタイミングシフト指示の示す時間だけ第２の基準タイミングからずらしたタイミング、つまり時間リソースに含めた送信信号を生成する。
【００９７】
この送信信号は、ＲＦ送信部３８及びアンテナを介して基地局４０へ送信される。
【００９８】
基地局４０において、変換部４６は、ＲＳ信号の受信タイミングに関する情報を、ＲＳ信号の受信タイミングに応じたＴＡ値と同じ値のＴＡ値候補に対して対応テーブルで対応付けられたビットパタンに読み替える。
【００９９】
すなわち、ここでは、ＲＳは、“０×２０”“０×２１”“０×１Ｅ”“０×２２”“０×２３”“０×１Ｅ”“０×１Ｅ”・・・というＴＡ値列に対応する受信タイミング群で受信される。
【０１００】
そのため、このＴＡ値列を図２の対応テーブルを用いて変換すると、“１００１０１０１１１１０１１１０１１０１１・・・”というデータ列が得られる。
【０１０１】
なお、第２の基準タイミングは、次のように調整することができる。図６は、基準タイミング調整の説明に供する図である。すなわち、静止モードにおいて、ＲＳ信号の送信タイミングに送信データを重畳する前に、送信タイミングを徐々に変化させ、ＴＡ値が変わる境界を特定し、特定された境界に基づいて基準タイミングを調整することが好ましい。具体的には、図６では、０．２μｓｅｃずつ送信タイミングがずらされている。そして、１回目から３回目までは、ＴＡ値が“０×１Ｆ”であり、４回目で“０×１Ｅ”に変わったとする。このとき、３回目の送信タイミングと４回目の送信タイミングとの間にＴＡ境界を特定することができる。そして、基準タイミングを隣接するＴＡ境界間の中央とすることが好ましい。すなわち、１ＴＡは、上述の通り、０．５μｓｅｃである。従って、特定されたＴＡ境界から０．２５（＝０．５／２）μｓｅｃだけオフセットしたタイミングを基準タイミングとすることが好ましい。
【０１０２】
以上のように本実施例によれば、移動局３０において、受信処理部３２は、ＲＳの送信タイミングについてのＴＡ値を含む信号を受信する。そして、送信処理部３６は、移動モードでは、ＴＡ値に応じた送信タイミングでＲＳを送信し、静止モードでは、ＲＳ以外の送信データのビットパタンに応じた送信タイミングでＲＳを送信する。
【０１０３】
また、基地局４０において、スケジューラ４５は、移動モードにおいて、自装置におけるＲＳの受信タイミングと目標タイミングとに基づいて、送信タイミングを制御するＴＡ値の候補群の内からＴＡ値を選択する。そして、送信処理部４７は、スケジューラ４５で選択されたＴＡ値を移動局３０へ送信する。また、変換部４６は、静止モードにおいて、ＲＳの受信タイミングをビットパタンに変換する。
【０１０４】
こうすることで、ＴＡ値に変化の生じない静止モードにおいて、ＲＳの送信タイミングを使って他の送信データを伝送することができるので、リソースの有効利用を実現できる。
【０１０５】
［実施例３］
実施例１及び実施例２では、静止モードにおいて、ＴＡ値又はＳＲ送信タイミングに重畳される送信データの内容については特に限定していない。これに対して、実施例３では、送信データが、制御情報、特に品質情報についてのデータである場合について説明する。
【０１０６】
まず、実施例１で説明した基地局１０は、静止モードでは、上り回線の品質情報をＴＡ値に読み替える。上り回線の品質情報は、上り回線データのエラーレートに関する情報であってもよいし、移動局２０から送信されたＲＳ信号の受信品質に関する情報であってもよい。
【０１０７】
そして、移動局２０は、受信したＴＡ値を読み替えることにより、上り回線の品質情報を特定することができる。移動局２０は、上り回線の品質が所定レベル以上の場合、つまり良好の場合には、ベースバンド処理を簡略化できる。移動局２０は、例えば、移動局２０から送信されるＲＳ信号のサーチ範囲を縮小してもよいし、ＲＳ信号の送信頻度を低減してもよいし、チャネル推定方法を簡略化してもよい。
【０１０８】
また、実施例２で説明した移動局３０は、静止モードでは、下り回線の品質情報をＴＡ値に読み替え、ＴＡ値に応じた送信タイミングでＲＳ信号を送信する。下り回線の品質情報は、下り回線データのエラーレートに関する情報であってもよいし、基地局４０からＲＳ信号が送信される場合にはそのＲＳ信号の受信品質に関する情報であってもよい。
【０１０９】
そして、基地局４０は、ＲＳ信号の受信タイミングを読み替えることにより、上り回線の品質情報を特定することができる。基地局４０は、下り回線の品質が所定レベル以上の場合、つまり良好の場合には、ベースバンド処理を簡略化できる。基地局４０は、例えば、基地局４０から送信されるＲＳ信号のサーチ範囲を縮小してもよいし、ＲＳ信号の送信頻度を低減してもよいし、チャネル推定方法を簡略化してもよい。
【０１１０】
以上のように、静止モードにおいてＴＡ値又はＲＳ送信タイミングを用いて品質情報を伝送することにより、ベースバンド処理の負荷を軽減でき、結果として、消費電力を削減できる。
【０１１１】
［他の実施例］
［１］実施例３では、送信データが制御情報である場合について説明したが、これに限定されるものではない。すなわち、送信データは、ユーザデータであってもよいし、トラヒック情報、障害情報、又は、負荷情報についてのデータであってもよい。
【０１１２】
また、送信データを、制御情報についてのデータとユーザデータとの間で切り替えてもよい。特に、基地局１０から移動局２０に対して、ＴＡ値を用いて送信データが送信される場合には、所定のフォーマットを利用できる。当該所定のフォーマットでは、ヘッダ部の第１領域Ｈ１には、送信データが制御情報であるかユーザデータであるかを示す識別情報が含められる。そして、ヘッダ部の第２領域Ｈ２には、データ長に関する情報が含められる。そして、データ部には、ヘッダ部の第１領域Ｈ１に含められた識別情報に対応する種別のデータが含められる。
【０１１３】
また、ユーザデータに切り替えられる要因としては、ユーザのサービス契約でもよいし、上位レイヤによる指示であってもよいし、パケット種別であってもよい。
【０１１４】
［２］上記各実施例では、移動局が静止していることを、ＧＰＳ機能を用いて移動局が判断し、判断結果を基地局へ通知するものとして説明を行った。しかしながら、これに限定されるものではない。例えば、基地局が、ＲＳ信号の受信タイミングの変化、つまり、移動局についてもＴＡ値の変化に基づいて、移動局が静止しているか否かを判断し、判断結果を移動局へ通知してもよい。また、基地局が、移動局のドップラー周波数に基づいて、移動局が静止しているか否かを判断し、判断結果を移動局へ通知してもよい。
【０１１５】
［３］上記各実施例の基地局及び移動局は、次のようなハードウェア構成により実現することができる。基地局４０及び移動局３０のペアは、基地局１０及び移動局２０と同様に考えられるので、基地局１０及び移動局２０を例にとり説明する。
【０１１６】
図７は、基地局のハードウェア構成を示す図である。図７に示すように、基地局１０は、ハードウェアの構成要素として、ＤＳＰ（Ｄｉｇｉｔａｌ  Ｓｉｇｎａｌ  Ｐｒｏｃｅｓｓｏｒ）１０ａと、メモリ１０ｂと、ＲＦ（Ｒａｄｉｏ  Ｆｒｅｑｕｅｎｃｙ）回路１０ｃと、ネットワークＩＦ（Ｉｎｔｅｒ  Ｆａｃｅ）１０ｄとを有する。ＲＦ回路１０ｃは、アンテナを有する。メモリ１０ｂは、例えば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）等のＲＡＭ、ＲＯＭ（Ｒｅａｄ  Ｏｎｌｙ  Ｍｅｍｏｒｙ)、フラッシュメモリにより構成される。受信処理部１２と、判定情報取得部１３と、ＲＳ取得部１４と、スケジューラ１５と、変換部１６と、送信処理部１７とは、例えばＤＳＰ１０ａ等の集積回路により実現される。ＲＦ受信部１１と、ＲＦ送信部１８とは、ＲＦ回路１０ｃにより実現される。
【０１１７】
図８は、移動局のハードウェア構成を示す図である。図８に示すように、移動局２０は、ハードウェア的には、ＣＰＵ（Ｃｅｎｔｒａｌ  Ｐｒｏｃｅｓｓｉｎｇ  Ｕｎｉｔ）２０ａと、メモリ２０ｂと、アンテナを有するＲＦ回路２０ｃと、ＬＣＤ（Ｌｉｑｕｉｄ  Ｃｒｙｓｔａｌ  Ｄｉｓｐｌａｙ）等の表示装置２０ｄとを有する。メモリ２０ｂは、例えば、ＳＤＲＡＭ等のＲＡＭ、ＲＯＭ、フラッシュメモリにより構成される。ＲＦ受信部２１と、ＲＦ送信部２９とは、ＲＦ回路２０ｃにより実現される。また、受信処理部２２と、変換部２３と、取得部２４と、制御部２５と、ＲＳ生成部２６と、送信処理部２７と、静止判定部２８とは、例えばＣＰＵ２０ａ等の集積回路により実現されてもよい。また、受信処理部２２と、変換部２３と、取得部２４と、制御部２５と、ＲＳ生成部２６と、送信処理部２７と、静止判定部２８とは、ベースバンドＣＰＵ及びアプリケーションＣＰＵ等の複数のＣＰＵに分けられて実装されてもよい。また、移動局２０が携帯電話機である場合、マイクロフォン及びスピーカに接続される音声入出力部、並びに、操作キーなどの入力部等が実装されてもよい。
【０１１８】
また、上記各実施例で説明した各種の処理は、予め用意されたプログラムをコンピュータで実行することで実現できる。すなわち、受信処理部１２と、判定情報取得部１３と、ＲＳ取得部１４と、スケジューラ１５と、変換部１６と、送信処理部１７とによって実行される各処理に対応するプログラムがメモリ１０ｂに記録され、各プログラムがＤＳＰ１０ａに読み出されてプロセスとして機能してもよい。また、受信処理部２２と、変換部２３と、取得部２４と、制御部２５と、ＲＳ生成部２６と、送信処理部２７と、静止判定部２８とによって実行される各処理に対応するプログラムがメモリ２０ｂに記録され、各プログラムがＣＰＵ２０ａに読み出されてプロセスとして機能してもよい。
【０１１９】
［４］上記各実施例では、基地局及び移動局を例にとり説明を行った。しかしながら、これに限定されるものではなく、通信装置と、当該通信装置から送信されたリファレンス信号を受信する通信装置とにおいても、上記実施例は成立する。
【符号の説明】
【０１２０】
１０，４０  基地局
１１，２１，３１，４１  ＲＦ受信部
１２，２２，３２，４２  受信処理部
１３，４３  判定情報取得部
１４，４４  ＲＳ取得部
１５，４５  スケジューラ
１６，２３，４６  変換部
１７，２７，３６，４７  送信処理部
１８，２９，３８，４８  ＲＦ送信部
２０，３０  移動局
２４，３３  取得部
２５，３４  制御部
２６，３５  ＲＳ生成部
２８，３７  静止判定部
【図１】
0005935504.tif 000002
【図２】
0005935504.tif 000003
【図３】
0005935504.tif 000004
【図４】
0005935504.tif 000005
【図５】
0005935504.tif 000006
【図６】
0005935504.tif 000007
【図７】
0005935504.tif 000008
【図８】
0005935504.tif 000009